【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
（ａ）潤滑粘度の油；
（ｂ）０．１から２．５、または０．２５から２．５重量パーセントの、複数のアームを含む（メタ）アクリレート含有ポリマーであって、前記アームは少なくとも２０、または少なくとも５０もしくは１００もしくは２００もしくは３５０もしくは５００もしくは１０００個の炭素原子を含み、前記アームは多価の有機部分に結合されている、（メタ）アクリレート含有ポリマー；および
（ｃ）０．１から１０、または０．１から２．５、または０．１から１重量パーセントの、５，０００から２５０，０００または１０，０００から２５０，０００の重量平均分子量を有するエチレン／オレフィンコポリマーであって、前記コポリマーは４０から７０重量パーセントのポリマー化されたエチレンモノマーを含み、１つまたは１つより多くの３から６個の炭素原子のポリマー化されたオレフィンモノマーをさらに含む、エチレン／オレフィンコポリマー
を含む潤滑剤組成物。
【請求項２】
前記アームが、アルキル（メタ）アクリレートモノマー単位を含むポリマー実体である、請求項１に記載の潤滑剤組成物。
【請求項３】
前記アームが、Ｃ１０〜Ｃ１８アルキルメタクリレート基およびＣ１〜Ｃ９アルキルメタクリレート基のコモノマーを含むポリマー実体である、請求項１または請求項２に記載の潤滑剤組成物。
【請求項４】
前記アームがランダムコポリマーまたはブロックコポリマーを含む、請求項１から４のいずれかに記載の潤滑剤組成物。
【請求項５】
前記多価の有機部分に結合しているアームの数が、３から２０、または５から２０、または６から１５、または７から８である、請求項１から４のいずれかに記載の潤滑剤組成物。
【請求項６】
前記アームの数平均分子量が、１０，０００から２００，０００、または２０，０００から１００，０００、または３５，０００から５０，０００である、請求項１から５のいずれかに記載の潤滑剤組成物。
【請求項７】
前記（メタ）アクリレート含有ポリマーが、複数のアームがコアに連結している星型ポリマーを含む、請求項１から６のいずれかに記載の潤滑剤組成物。
【請求項８】
前記コアが、アルキレングリコールジメタクリレートのポリマー化されたモノマーを含む、請求項７に記載の潤滑剤組成物。
【請求項９】
前記（メタ）アクリレート含有ポリマーが櫛型ポリマーを含む、請求項１から８のいずれかに記載の潤滑剤組成物。
【請求項１０】
前記アームが、場合により水素化されている、共役ジエンモノマー単位、またはイソブチレンモノマー単位を含むポリマー実体である、請求項９に記載の潤滑剤組成物。
【請求項１１】
前記エチレン／オレフィンコポリマーが、４０から５０重量パーセントのエチレンモノマー単位および５０から６０重量パーセントのプロピレンモノマー単位を含む、請求項１から１０のいずれかに記載の潤滑剤組成物。
【請求項１２】
前記エチレン／オレフィンコポリマーが、２０，０００から１８０，０００の重量平均分子量を有する、請求項１から１１のいずれかに記載の潤滑剤組成物。
【請求項１３】
自動二輪車のクランク室および湿式クラッチを潤滑するのに好適な潤滑剤組成物であって、過塩基性カルシウム清浄剤を前記組成物の０．２から１．８重量パーセントの量、無灰分散剤を前記組成物の０．８から３．２重量パーセントの量、および摩擦板−鋼板界面における静摩擦を増大させる摩擦調整添加剤を前記組成物の０．０５から１．８５重量パーセントの量でさらに含む、請求項１から１２のいずれか一項に記載の潤滑剤組成物。
【請求項１４】
機械装置を潤滑する方法であって、それに請求項１から１３のいずれかに記載の潤滑剤組成物を供給する工程を含む方法。
【請求項１５】
前記機械装置が内燃機関を含む、請求項１４に記載の方法。
【手続補正２】
【補正対象書類名】明細書
【補正対象項目名】００１１
【補正方法】変更
【補正の内容】
【００１１】
本開示技術は、機械装置を潤滑する方法であって、該方法はそれに前述の潤滑剤組成物を供給する工程を含む、方法をさらに提供する。
一実施形態において、例えば、以下の項目が提供される。
（項目１）
（ａ）潤滑粘度の油；
（ｂ）複数のアームを含む（メタ）アクリレート含有ポリマーであって、前記アームは少なくとも約２０、または少なくとも５０もしくは１００もしくは２００もしくは３５０もしくは５００もしくは１０００個の炭素原子を含み、前記アームは多価の有機部分に結合されている、（メタ）アクリレート含有ポリマー；および
（ｃ）約５，０００から約２５０，０００または約１０，０００から約２５０，０００の重量平均分子量を有するエチレン／オレフィンコポリマーであって、前記コポリマーは約４０から約７０重量パーセントのポリマー化されたエチレンモノマーを含み、１つまたは１つより多くの３から６個の炭素原子のポリマー化されたオレフィンモノマーをさらに含む、エチレン／オレフィンコポリマー
を含む潤滑剤組成物。
（項目２）
前記アームが、非オレフィンモノマー単位を含むポリマー実体である、項目１に記載の潤滑剤組成物。
（項目３）
前記アームが、アルキル（メタ）アクリレートモノマー単位を含むポリマー実体である、項目１または項目２に記載の潤滑剤組成物。
（項目４）
前記アームが、Ｃ１０〜Ｃ１８アルキルメタクリレート基およびＣ１〜Ｃ９アルキルメタクリレート基のコモノマーを含むポリマー実体である、項目１から３のいずれかに記載の潤滑剤組成物。
（項目５）
前記アームがランダムコポリマーを含む、項目１から４のいずれかに記載の潤滑剤組成物。
（項目６）
前記アームがブロックコポリマーを含む、項目１から５のいずれかに記載の潤滑剤組成物。
（項目７）
前記多価の有機部分に結合しているアームの数が、３から２０、または５から２０、または６から１５、または７から８である、項目１から６のいずれかに記載の潤滑剤組成物。
（項目８）
前記アームの数平均分子量が、約１０，０００から約２００，０００、または２０，０００から１００，０００、または３５，０００から５０，０００である、項目１から７のいずれかに記載の潤滑剤組成物。
（項目９）
前記アームの１つまたは１つより多くが、アルキルアクリレートモノマーに由来する単位を含む、項目１から８のいずれかに記載の潤滑剤組成物。
（項目１０）
前記（メタ）アクリレート含有ポリマーが、複数のアームがコアに連結している星型ポリマーを含む、項目１から９のいずれかに記載の潤滑剤組成物。
（項目１１）
前記コアが、アルキレングリコールジメタクリレートのポリマー化されたモノマーを含む、項目１０に記載の潤滑剤組成物。
（項目１２）
前記アームがヒドロカルビル基を含む、項目１に記載の潤滑剤組成物。
（項目１３）
前記（メタ）アクリレート含有ポリマーが櫛型ポリマーを含む、項目１から１２のい
ずれかに記載の潤滑剤組成物。
（項目１４）
前記アームが、共役ジエンモノマー単位（場合により、水素化されている）またはイソブチレンモノマー単位を含むポリマー実体である、項目１３に記載の潤滑剤組成物。
（項目１５）
前記共役ジエンが、ブタジエンまたはイソプレンを含む、項目１４に記載の潤滑剤組成物。
（項目１６）
複数のアームを含む前記（メタ）アクリレート含有ポリマーの量が、約０．１から２．５、または０．２５から約２．５重量パーセントの量で存在している、項目１から１５のいずれかに記載の潤滑剤組成物。
（項目１７）
前記エチレン／オレフィンコポリマーが、プロピレンモノマー単位またはブチレンモノマー単位の少なくとも１つを含む、項目１から１６のいずれかに記載の潤滑剤組成物。
（項目１８）
前記エチレン／オレフィンコポリマーが、プロピレンモノマー単位を含む、項目１から１７のいずれかに記載の潤滑剤組成物。
（項目１９）
前記エチレン／オレフィンコポリマーが、約４０から約５０重量パーセントのエチレンモノマー単位および約５０から約６０重量パーセントのプロピレンモノマー単位を含む、項目１から１８のいずれかに記載の潤滑剤組成物。
（項目２０）
前記エチレン／オレフィンコポリマーが、約２０，０００から約１８０，０００の重量平均分子量を有する、項目１から１９のいずれかに記載の潤滑剤組成物。
（項目２１）
前記エチレン／オレフィンコポリマーの量が、約０．１から約１０、または約０．１から約２．５、または約０．１から約１重量パーセントである、項目１から２０のいずれかに記載の潤滑剤組成物。
（項目２２）
清浄剤、分散剤、酸化防止剤、摩耗防止剤、摩擦調整剤、流動点降下剤、腐食防止剤、および消泡剤、抗乳化剤、金属不活性化剤、またはリンの酸の金属塩の少なくとも１つをさらに含む、項目１から２１のいずれかに記載の潤滑剤組成物。
（項目２３）
過塩基性清浄剤を約０．５から約２．０重量パーセントの量、および無灰分散剤を約０．５から約３重量パーセントの量でさらに含む、項目１から２２のいずれかに記載の潤滑剤組成物。
（項目２４）
自動二輪車のクランク室および湿式クラッチを潤滑するのに好適な潤滑剤組成物であって、過塩基性カルシウム清浄剤を前記組成物の０．２から１．８重量パーセントの量、無灰分散剤を前記組成物の０．８から３．２重量パーセントの量、および摩擦板−鋼板界面における静摩擦を増大させる摩擦調整添加剤を前記組成物の０．０５から１．８５重量パーセントの量でさらに含む、項目１から２３のいずれか一項に記載の潤滑剤組成物。
（項目２５）
機械装置を潤滑する方法であって、それに項目１から２４のいずれかに記載の潤滑剤組成物を供給する工程を含む方法。
（項目２６）
前記機械装置が油圧システムを含む、項目２５に記載の方法。
（項目２７）
前記機械装置が内燃機関を含む、項目２５に記載の方法。
（項目２８）
前記内燃機関が乗用車用エンジンである、項目２７に記載の方法。
（項目２９）
前記内燃機関が火花点火機関である、項目２７または項目２８に記載の方法。
（項目３０）
前記内燃機関が自動二輪車用エンジンを含む、項目２７に記載の方法。